(57)【特許請求の範囲】
【請求項１】
トリガー式液体噴射器の噴射部、該噴射部の後方に位置するカバー部および前記噴射部に設けられたフード部のいずれかに取り付ける噴射補助具であって、
前記噴射部、前記カバー部および前記フード部のいずれかに着脱可能な装着部と、前記装着部に設けられた長尺の本体部とを具備し、
前記本体部は、前記トリガー式液体噴射器に取り付けた際に、噴射領域の噴射中心軸を含む水平面よりも上方のみに位置し且つ噴射方向に沿って延びる
ことを特徴とする噴射補助具。
【請求項２】
トリガー式液体噴射器の噴射部、該噴射部の後方に位置するカバー部および前記噴射部に設けられたフード部のいずれかに取り付ける噴射補助具であって、
前記噴射部、前記カバー部および前記フード部のいずれかに着脱可能な装着部と、前記装着部に設けられた長尺の棒体である本体部とを具備し、
前記本体部は、前記トリガー式液体噴射器に取り付けた際に、噴射領域の噴射中心軸を含む水平面よりも上方であって且つ噴射方向に沿って延びる
ことを特徴とする噴射補助具。
【請求項３】
トリガー式液体噴射器の噴射部、該噴射部の後方に位置するカバー部および前記噴射部に設けられたフード部のいずれかに取り付ける噴射補助具であって、
前記噴射部、前記カバー部および前記フード部のいずれかに着脱可能な装着部と、前記装着部に設けられた長尺の開口部を有する板状体である本体部とを具備し、
前記本体部は、前記トリガー式液体噴射器に取り付けた際に、噴射領域の噴射中心軸を含む水平面よりも上方であって且つ噴射方向に沿って延びる
ことを特徴とする噴射補助具。
【請求項４】
前記装着部に、前記噴射部の下方噴射方向に向かって延出する傾斜面を有する延出部を備えることを特徴とする請求項１〜３のいずれか１項に記載の噴射補助具。
【発明の詳細な説明】
【技術分野】
【０００１】
本発明は、トリガー式液体噴射器の噴射補助具に関する。
【背景技術】
【０００２】
植物を健全に育てるためには、植物に寄生する害虫、病原菌等を駆除しなければならないが、これらの中には葉裏や茂みの中に生息するものも多く、駆除するに際しては相当の労力が必要とされている。
そのため市販の駆除剤では、効率的に薬剤が処理できるように正倒立噴射ができる噴霧器に薬液を充填したものがあるが、使い始めは薬液の充填量が多く重いため、噴霧器を逆さに持つのは手首の負担となる。また葉裏や茂みの中まで薬液を噴射するには、手指で葉をめくったり、茂みをかき分けるなどしなくてはならず、薬液の噴射と同時に行うことは面倒であり、難しいものであった。
【０００３】
このような状況の中、例えば、エアゾール容器とノズルがチューブで連結され、ノズル先端部の噴射口がチューブに対して３０°〜９０°の角度をもって形成されるエアゾール噴霧器が検討されている（特許文献１参照）。このエアゾール噴霧器によれば、チューブをほぼ水平にした状態で噴霧ボタンを押すと、ノズル先端部の噴射口より上方に向かって薬液が噴霧されるので、葉裏のような噴霧が困難とされる場所に対しても効果的に薬液を噴霧することができるとされている。
【先行技術文献】
【特許文献】
【０００４】
【特許文献１】特開平９−１５０８７６号公報
【発明の概要】
【発明が解決しようとする課題】
【０００５】
しかしながら、正倒立噴射ができる噴霧器に薬液を充填したものにおいて、薬液の充填量が減り逆さに持つことが容易となっても、斜め下方からの噴霧のみでは、葉裏や茂みの中まで薬液は十分には届かず、効率よく害虫、病原菌等を駆除することはできない。
また、特許文献１に開示されたエアゾール噴霧器であっても、チューブ先端部に設けられたノズルの噴射口を葉に近づけたり、茂みの中に挿入することによる噴霧はできるが、噴霧範囲が狭く、葉裏を目視できないことから、効率よく薬液を処理することは難しい。そのため作業者が手指で葉をめくったり、茂みをかき分けるなどの作業が必要となり、その際に手指に薬液が付着したり、害虫、病原菌等が付くといった問題は解消できてはいない。
【０００６】
本発明は上記状況に鑑みてなされたもので、その目的は、作業者が手指で葉をめくったり、茂みをかき分けるなどしなくても、所期の部位に薬液を容易に、効率よく噴射することができる、トリガー式液体噴射器の噴射補助具を提供することにある。
【課題を解決するための手段】
【０００７】
本発明に係る上記目的は、下記（１）〜（４）により達成される。
（１）トリガー式液体噴射器の噴射部、該噴射部の後方に位置するカバー部および前記噴射部に設けられたフード部のいずれかに取り付ける噴射補助具であって、前記噴射部、前記カバー部および前記フード部のいずれかに着脱可能な装着部と、前記装着部に設けられた長尺の本体部とを具備し、前記本体部は、前記トリガー式液体噴射器に取り付けた際に、噴射領域の噴射中心軸を含む水平面よりも上方であって且つ噴射方向に沿って延びることを特徴とする噴射補助具。
（２）前記装着部に、前記噴射部の下方噴射方向に向かって延出する傾斜面を有する延出部を備えることを特徴とする上記（１）に記載の噴射補助具。
（３）前記本体部が、棒体であることを特徴とする上記（１）または（２）に記載の噴射補助具。
（４）前記本体部が、開口部を有する板状体であることを特徴とする上記（１）または（２）に記載の噴射補助具。
【０００８】
上記（１）の噴射補助具によれば、トリガー式液体噴射器の噴射部、該噴射部の後方に位置するカバー部および前記噴射部に設けられたフード部のいずれかに噴射補助具の装着部が装着されると、噴射口からの噴射領域の噴射中心軸を含む水平面よりも上方に、本体部が噴射方向に沿って配置される。したがって、使用時、本体部の先端を葉裏や茂みの中に挿入し、手首を支点として本体部の先端部を上方へ移動させると、葉がめくられ、噴射領域に葉裏を位置させることができる。この状態でトリガー式液体噴射器の操作レバーを操作すると、噴射口から薬液が葉裏に向かって噴射、拡散され、葉裏の広範囲に薬液を効率よく付着させることができる。また葉が密集して茂っている植物、植栽等であっても、葉がめくられたり茂みに開口が形成されたりして、奥まで薬液の噴射が効率よく行えるようになる。そのため手指で葉をめくったり、茂みをかき分けたりして薬液を噴射する必要がなくなるので、手指に薬液が付着したり、害虫、病原菌等が付いたりすることもなくなる。
上記（２）の噴射補助具によれば、延出部がトリガー式液体噴射器の操作レバーの上方に位置するので、操作レバーを掴んだ手指が、延出部によってカバーされる。したがって、本体部の先端部が水平よりも上向きの状態でトリガー式液体噴射器が操作されても該本体部を伝って噴射部側に流動して落下した薬液や、葉から落下した薬液を受け止めることができ、手指に薬液が垂れたり、付着することがない。
上記（３）の噴射補助具によれば、本体部を細径に形成できるので、十分な噴射領域を確保することができ、また作業者の視認性がよくなり所期の場所に薬液を噴射しやすくなる。更に、軽量安価な本体部の製造が可能となる。
上記（４）の噴射補助具によれば、本体部が幅広となるので、広範囲にわたり葉をめくったり、茂みに開口を設けたりすることができるので、十分な噴射領域を確保することができる。また本体部には開口部が設けられているので、作業者の視認性も十分に確保することができる。
【発明の効果】
【０００９】
本発明に係る噴射補助具によれば、作業者が手指で葉をめくったり、茂みをかき分けるなどしなくても、トリガー式液体噴射器の操作レバーを操作することで、所期の部位に薬液を容易に、効率よく噴射することができる。そのため、手指に薬液が付着したり、害虫、病原菌等が付いたりすることがない。
【００１０】
以上、本発明について簡潔に説明した。更に、以下に説明される発明を実施するための形態（以下、「実施形態」という。）および添付の図面を参照することにより、本発明の詳細は更に明確化される。
【図面の簡単な説明】
【００１１】
【図１】本発明に係る第１実施形態の噴射補助具の斜視図である。
【図２】図１の噴射補助具がカバー部に装着されたトリガー式液体噴射器の要部斜視図である。
【図３】図１の噴射補助具が装着されたトリガー式液体噴射器の使用状態を説明する図であり、（ａ）は噴射補助具を葉裏に挿入した図、（ｂ）は噴射時の状態を示す図である。
【図４】図１の噴射補助具が装着されたトリガー式液体噴射器の非使用時の形態を示す要部側面図である。
【図５】（ａ）は本発明に係る第１実施形態の噴射補助具の第１変形例の斜視図であり、（ｂ）は（ａ）の噴射補助具が装着されたトリガー式液体噴射器の要部側面図である。
【図６】本発明に係る第２実施形態の噴射補助具の斜視図である。
【図７】図６の噴射補助具がトリガー式液体噴射器のカバー部に装着された状態を示す図であり、（ａ）は使用時の要部斜視図、（ｂ）は非使用時の要部側面図である。
【図８】本発明に係る第３実施形態の噴射補助具の斜視図である。
【図９】（ａ）は図８の噴射補助具の平面図、（ｂ）はその側面図、（ｃ）はその後方から見た背面図である。
【図１０】図８の噴射補助具が噴射部に装着されたトリガー式液体噴射器の要部側面図である。
【図１１】図８の噴射補助具が装着されたトリガー式液体噴射器の使用状態を説明する図であり、（ａ）は噴射補助具を葉裏に挿入した図、（ｂ）は噴射時の状態を示す図である。
【図１２】本発明に係る第３実施形態の噴射補助具の第１変形例の側面図である。
【図１３】本発明に係る第３実施形態の噴射補助具の第２変形例の側面図である。
【図１４】本発明に係る第４実施形態の噴射補助具の斜視図である。
【図１５】（ａ）は図１４の噴射補助具の平面図、（ｂ）はその側面図である。
【図１６】本発明に係る第４実施形態の噴射補助具の第１変形例の側面図である。
【図１７】本発明に係る第４実施形態の噴射補助具の第２変形例の側面図である。
【発明を実施するための形態】
【００１２】
以下、本発明に係る実施形態について図面を参照して説明する。
尚、本発明において、トリガー式液体噴射器は、ポンプ式液体噴射器、エアゾール式液体噴射器等の噴射部の下方に操作レバーを有する噴射器をいう。また、本発明において、トリガー式液体噴射器の噴射部が向けられた方向（例えば、図４における左側（Ｆ））を前方とし、その反対側（例えば、図４における右側（Ｒ））を後方とし、トリガー式液体噴射器の上側（例えば、図４における上側（Ｕ））を上方とし、その反対側（例えば、図４における下側（Ｄ））を下方とする。
【００１３】
（第１実施形態：図１〜図４）
図１は本発明に係る第１実施形態の噴射補助具の斜視図であり、図２は図１の噴射補助具がカバー部に装着されたトリガー式液体噴射器の要部斜視図である。図３は図１の噴射補助具が装着されたトリガー式液体噴射器の使用状態を説明する図であり、（ａ）は噴射補助具を葉裏に挿入した図、（ｂ）は噴射時の状態を示す図である。図４は図１の噴射補助具が装着されたトリガー式液体噴射器の非使用時の形態を示す要部側面図である。
【００１４】
本発明の噴射補助具は、本発明によりトリガー式液体噴射器に設けられるものであり、植物や植栽等に薬剤を噴射する際に、葉をめくって噴射領域の正面に葉裏を位置させるための補助具である。
【００１５】
第１実施形態に係る噴射補助具１は、装着部１１，１１と本体部１７，１７と連結部１９に大別して構成される。本体部１７，１７は２つの細径長尺の棒体からなり、この棒体は互いに平行に位置している。連結部１９は本体部１７，１７の一端同士を連結するとともに、上方へ傾斜している。装着部１１，１１は本体部１７，１７の他端からそれぞれ該本体部１７，１７に直交するように内側に屈曲して設けられ、その先端同士は所望の間隔をもって離間して互いに対向している。各部材は、一体で形成してもよく、別体で形成してもよい。
【００１６】
噴射補助具１は、例えば、ポリエチレン、ナイロン、ポリプロピレン等の樹脂、ステンレス、アルミニウム等の金属等によって成形することができる。
【００１７】
＜取り付け状態の説明＞
次に、第１実施形態に係る噴射補助具１をトリガー式液体噴射器に装着した状態を説明する。尚、トリガー式液体噴射器は、ポンプ式液体噴射器を例にして説明する。
【００１８】
第１実施形態の噴射補助具１をトリガー式液体噴射器７のカバー部７３に装着するには、図２に示したように、噴射補助具１の装着部１１，１１の先端部を、カバー部７３に設けられた装着受部７９にカバー部７３の側方からそれぞれ嵌め込む。すると、本体部１７，１７が噴射領域の噴射中心軸Ｘを含む水平面よりも上方であって且つ噴射方向に沿って延出する（図３（ａ）参照）。この際、カバー部７３には、噴射補助具１の本体部１７，１７が前記水平面よりも下方に回動しないように、係止部７６を設けておくのが好ましい。尚、係止部７６はカバー部７３に設けてもよいが装着部１１に設けてもよい。
【００１９】
＜使用状態の説明＞
したがって、薬液の噴射時、図３（ａ）に示したように、噴射補助具１の先端部である連結部１９が葉８１の裏側に挿入され、手首を支点として連結部１９が上方へ移動されると（矢印Ａ）、図３（ｂ）に示したように、葉８１がめくられ、噴射領域の正面に葉８１の裏面（葉裏）８３を位置させることができる。
【００２０】
この状態で操作レバー７５が操作され、噴射口から薬液が噴射されると、葉裏８３に的確に薬剤を噴射、拡散することができる。
また、噴射口は少なくとも本体部１７の長さ分だけ葉裏８３から離間しているので、噴射した薬液が十分に広がり、葉裏８３の広範囲に薬液を効率よく噴射できる。
そして、葉８１が密集して茂っている植物、植栽等であっても、葉８１がめくられることで、茂みに開口が形成され、その奥まで十分な薬液の噴射が効率よく行えるようになる。そのため、手指で葉８１をめくって薬液を噴射することがないので、手指に薬液がかかったり、害虫、病原菌等が付いたりすることがない。
さらに、本体部を細径長尺の棒体で構成しているので、十分な噴射領域を確保することができ、また作業者の視認性がよくなり所期の場所に薬液を噴射しやすくなる。
【００２１】
第１実施形態において、図４に示したように、噴射補助具１を、装着部１１を起点として略１８０°後方に回転させておくと、カバー部７３の側面７３ａに沿って本体部１７が配置され、使用時以外は、噴射部７１の前端から噴射補助具１が突出しない状態で取り扱うことができ、保管や持ち運び等が容易となる。
【００２２】
なお、第１実施形態において、連結部１９は本体部１７の前端同士を連結することに限らない。例えば、本体部の両端部の間の任意の箇所を連結してもよい。
【００２３】
また、噴射口からの噴射パターンを妨げないようにして噴射部に当該噴射部を覆うフード部を設けた場合、第１実施形態の噴射補助具をこのフード部に設けることができる。フード部としては、例えば、図８〜図１０における符号３１に当たる部材（装着部）を例示することができる。フード部の側方にはあらかじめ装着受部を設けておき、第１実施形態の噴射補助具の装着部をフード部の側方側から嵌合させて取り付ければよい。
【００２４】
（第１実施形態の第１変形例：図５）
次に、図５を参照して、第１実施形態に係る噴射補助具の第１変形例について説明する。図５（ａ）は本発明に係る第１実施形態の噴射補助具の第１変形例の斜視図、図５（ｂ）はこの第１変形例の噴射補助具が装着されたトリガー式液体噴射器の要部側面図である。なお、第１実施形態と同一の部材には同一の符号を付し重複する説明は省略する。
【００２５】
本変形例では、第１実施形態の噴射補助具の装着部が本体部から内側に屈曲して設けられていたのに対し、各装着部は下方に屈曲して設けられる。
本変形例の噴射補助具１Ａは、図５（ａ）に示したように、互いに平行に位置する２つの細径長尺の棒体からなる本体部１７，１７と、該本体部１７，１７の一端同士を連結するとともに、上方へ傾斜する連結部１９と、本体部１７，１７の他端からそれぞれ該本体部１７，１７に直交するように下方に屈曲して設けられた装着部１１Ａ，１１Ａとで構成されている。
【００２６】
本変形例の噴射補助具１Ａをトリガー式液体噴射器に装着するには、装着部１１Ａ，１１Ａが取り付けられる装着受部７９はカバー部７３の上面に設けられる。
【００２７】
＜取り付け状態の説明＞
このように構成された本変形例の噴射補助具１Ａは、図５（ｂ）に示したように、トリガー式液体噴射器７に装着した際に、本体部１７，１７が噴射部７１の上方から噴射方向に延びることとなる。
【００２８】
＜使用状態の説明＞
したがって、第１実施形態と同様に、薬液の噴射時、噴射補助具１Ａの先端である連結部１９を葉の裏側に挿入し、手首を支点として連結部１９を上方へ移動させると、葉をめくることができ、噴射領域の正面に葉の裏面（葉裏）を位置させることができる。
【００２９】
この状態で噴射口から薬液が噴射されると、葉裏に的確に薬剤を噴射、拡散することができる。また、噴射口は少なくとも本体部１７の長さ分だけ葉裏から離間しているので、噴射した薬液が十分に広がり、葉裏の広範囲に薬液を効率よく噴射できる。
【００３０】
（第２実施形態：図６および図７）
次に、本発明に係る第２実施形態について説明する。
図６は本発明に係る第２実施形態の噴射補助具の斜視図であり、図７は図６の噴射補助具がトリガー式液体噴射器のカバー部に装着された状態を示す図であり、（ａ）は使用時の要部斜視図、（ｂ）は非使用時の要部側面図である。
【００３１】
第２実施形態では、第１実施形態の噴射補助具が一体で形成されていたのに対し、各部材を別体で形成している。
第２実施形態に係る噴射補助具２は、装着部２１，２１と本体部２７，２７と連結部２９に大別して構成される。本体部２７，２７は２つの長尺の薄板体からなり、幅広面を対向させて互いに平行に位置している。本体部２７，２７の前端部は上方に傾斜する傾斜部２７ｂ，２７ｂを有し、後端部は本体部２７，２７から下方、すなわち傾斜部２７ｂ，２７ｂとは相対する方向に延出する支持部２７ａ，２７ａを有している。連結部２９は本体部２７，２７の傾斜部２７ｂ，２７ｂ同士を連結する薄板体であり、連結部２９の上部は櫛型をなし、複数の爪部２９ａが設けられている。装着部２１，２１は本体部２７，２７の支持部２７ａ，２７ａの内側面からそれぞれ該支持部２７ａ，２７ａに直交するように設けられ、その先端同士は所期の間隔をもって離間して互いに対向している。
【００３２】
＜取り付け状態の説明＞
第２実施形態の噴射補助具２をトリガー式液体噴射器７のカバー部７３に装着する場合には、図７（ａ）に示したように、噴射補助具２の装着部２１，２１の先端部をカバー部７３に設けられた装着受部（不図示）にカバー部７３の側方からそれぞれ嵌め込む。すると、本体部２７，２７が噴射領域の噴射中心軸を含む水平面よりも上方であって且つ噴射方向に沿って延出する。この際、カバー部７３には、噴射補助具２の本体部２７，２７が前記水平面よりも下方に回動しないように、係止部７６を設けておくのが好ましい。
【００３３】
＜使用状態の説明＞
したがって、薬液の噴射時、噴射補助具２の先端部が葉の裏側に挿入され、手首を支点として先端部が上方へ移動されると、葉がめくられ、噴射領域の正面に葉の裏面を位置させることができる。この状態で操作レバーが操作され、噴射口から薬液が噴射されると、葉裏に的確に薬剤を噴射、拡散することができる。
【００３４】
また、連結部２９に設けられた爪部２９ａにより、葉裏に付着した害虫、病原菌、これらの死骸を容易に掻き落とすことができる。
【００３５】
第２実施形態において、図７（ｂ）に示したように、噴射補助具２を、装着部２１を起点として略１８０°後方に回転させておくと、カバー部７３の側面７３ａに沿って本体部２７が配置され、使用時以外は、噴射部７１前端から噴射補助具２が突出しない状態で取り扱うことができ、保管や持ち運び等が容易となる。
【００３６】
（第３実施形態：図８〜図１１）
次に、本発明に係る第３実施形態について説明する。
図８は本発明に係る第３実施形態の噴射補助具の斜視図であり、図９（ａ）は図８の噴射補助具の平面図、図９（ｂ）はその側面図、図９（ｃ）はその後方から見た背面図である。
【００３７】
第１実施形態および第２実施形態が、噴射補助具の装着部をカバー部の側方から取り付けるようにしていたのに対し、第３実施形態では、装着部を噴射部に取り付けるものである。
第３実施形態に係る噴射補助具３は、装着部３１と板状本体部（本体部）３５とに大別して構成される。
【００３８】
＜装着部＞
装着部３１は、トリガー式液体噴射器の噴射部に正面から着脱自在とされ、図８および図９（ａ）〜（ｃ）に示したように、噴射部に装着する装着筒部３２と該装着筒部３２の前端に連設される鍔部３３とで構成されている。
【００３９】
＜＜装着筒部＞＞
装着筒部３２は噴射部に外嵌可能に形成され、本実施形態では正面視で略三角形状の筒体として形成されている。装着筒部３２の内部には、該装着筒部３２の内周から張り出したフランジ部が設けられ、貫通開口部３４が形成されている。そして、装着筒部３２の壁部には、トリガー式液体噴射器の噴射部に設けられた凸部に係合するように、後端より切り欠かれたＵ字状切欠部３２ａが複数形成されている。装着部３１をトリガー式液体噴射器の噴射部に装着した際に、フランジ部は該噴射部の前端面に当接し、貫通開口部３４から噴射が可能となる。
【００４０】
＜＜鍔部＞＞
鍔部３３は装着筒部３２の前端部から前方に向かって徐々に拡径するように設けられている。鍔部３３は、本体部の位置（高さ）を調節したり、薬液の噴射パターンを調節したりするために設けることができる。本実施形態において、鍔部３３は装着筒部３２と同様に、正面視で略三角形状をなし、噴射方向に対して傾斜を有しているが、形状はその限りではない。
【００４１】
＜本体部＞
第３実施形態において、本体部は開口部３７を有する長尺の板状体であり、鍔部３３の上端から噴射方向に沿って延出している。板状本体部３５は、先端に向かって徐々に幅狭に形成され、板状本体部３５の長手方向に、複数の開口部３７が形成されている。板状本体部３５の先端には、複数の爪部３５ａが幅方向に設けられ、葉の裏面に付着した害虫、病原菌、これらの死骸を容易に掻き落とすことができる。
【００４２】
＜取り付け状態の説明＞
次に、第３実施形態の噴射補助具３をトリガー式液体噴射器７に取り付けた状態を説明する。
第３実施形態の噴射補助具３は、トリガー式液体噴射器７の噴射部７１に取り付けられる。図１０に示すように、噴射補助具３の装着部３１を、噴射部７１に前方方向から外嵌する。噴射部７１の凸部７１ａと装着部３１のＵ字状切欠部３２ａが互いに係合するので、装着部３１は噴射部７１にしっかりと嵌り脱落することはない。装着部３１が噴射部７１に嵌ると、本体部３５が噴射領域の噴射中心軸Ｘを含む水平面よりも上方であって且つ噴射方向に沿って延出する。
【００４３】
＜使用状態の説明＞
したがって、薬液の噴射時、図１１（ａ）に示すように、噴射補助具３の先端部が葉８１の裏側に挿入され、手首を支点として先端部が上方へ移動されると（矢印Ｂ）、図１１（ｂ）に示すように、葉８１がめくられ、噴射領域の正面に葉８１の裏面（葉裏）８３を位置させることができる。
【００４４】
この状態で操作レバー７５が操作され、噴射口から薬液が噴射されると、葉裏８３に的確に薬剤を噴射、拡散することができる。
また、噴射口は少なくとも板状本体部３５の長さ分だけ葉裏８３から離間しているので、噴射した薬液が十分に広がり、葉裏８３の広範囲に薬液を効率良く噴射できる。
そして、葉８１が密集して茂っている植物、植栽であっても、葉８１がめくられることで、茂みに開口が形成され、その奥まで十分な薬液の噴射が効率良く行えるようになる。そのため、手指で葉８１をめくって薬液を噴射することがないので、手指に薬液がかかったり、害虫、病原菌が付いたりすることがない。
【００４５】
第３実施形態の噴射補助具３では、板状本体部３５の上面（めくり面）が幅広となるので、幅の広い葉８１についても確実に葉８１をめくることができる。また、広範囲にわたり葉をめくったり、茂みに開口を設けたりすることができるので、十分な噴射領域を確保することができる。
また、板状本体部３５の先端部に設けられた爪部３５ａにより、葉裏８３に付着した害虫、病原菌、それらの死骸を容易に掻き落とすことができる。
また、板状本体部３５には開口部３７が設けられているので、開口部３７を通して噴射することができ、噴射領域形成の障害となりにくい。さらに開口部３７を通して葉裏８３の状態を確認することができるので、作業者の視認性も十分に確保することができる。
そして、開口部３７により噴射補助具３の重量を軽くすることができるとともに、材料及びコストを削減することができる。
【００４６】
＜開口部の形状＞
なお、本実施形態では先端に向かって順次開口面積が小さくなる３つの台形状の開口部３７が例示されるが、開口部３７の形状、位置、数はこれに限定されない。例えば円形状の開口部を千鳥状に配設して形成してもよい。
【００４７】
（第３実施形態の第１変形例：図１２）
次に、図１２を参照して第３実施形態に係る噴射補助具の第１変形例について説明する。図１２は第３実施形態の第１変形例の側面図である。
【００４８】
本変形例では、第３実施形態の噴射補助具の鍔部に延出部を設けたことを特徴としている。
本変形例の噴射補助具３Ａは、図１２に示したように、噴射部の下方噴射方向に向かって延出する延出部３８が鍔部３３の下部に設けられている。
【００４９】
＜使用状態の説明＞
したがって、薬剤の噴射時、噴射パターンの中でも噴射中心軸を含む水平面よりも下方に向かって噴射された薬液の飛沫分を延出部３８で受け止めて、その先端から落下させることができるので、操作レバーを操作する手指に薬液が垂れるのをより確実に防ぐことができる。
また、板状本体部の先端部が水平面よりも上向きとなるようにトリガー式液体噴射器を上方に傾倒させて使用した場合であっても、葉からの薬液の垂れ、板状本体部３５からの薬液の垂れ、などを受け止めることができるので、操作レバーを操作する手指に薬液が垂れるのを防ぐことができる。
【００５０】
（第３実施形態の第２変形例：図１３）
次に、図１３を参照して第３実施形態に係る噴射補助具の第２変形例について説明する。図１３は第３実施形態の第２変形例の側面図である。
【００５１】
本変形例では、第３実施形態の噴射補助具の本体部に凸部を設けたことを特徴としている。
本変形例の噴射補助具３Ｂは、図１３に示したように、板状本体部３５の下面に凸部３９が設けられている。凸部３９は、板状本体部３５の下面に複数個を点在させて設けてもよいし、板状本体部３５の幅方向に延びる凸条としてもよい。また、その断面形状も特に限定されず、略三角形状、略半円状等の任意の形状とすることができる。
【００５２】
＜使用状態の説明＞
したがって、薬剤の噴射時に、板状本体部３５の先端部が水平面よりも上向きとなるようにトリガー式液体噴射器を上方に傾倒させて使用した際、噴射された薬液や葉から滴下した薬液が板状本体部３５を伝って噴射部側に向かって流動しても、凸部３９に薬液が留まり、その先端から落下するので、操作レバーを操作する手指に薬液が垂れることがない。
【００５３】
（第４実施形態：図１４および図１５）
次に、本発明に係る第４実施形態について説明する。
図１４は第４実施形態の噴射補助具の斜視図であり、図１５（ａ）は図１４の噴射補助具の平面図、図１５（ｂ）はその側面図である。なお、第３実施形態と同一の部材には同一の符号を付し重複する説明は省略する。
【００５４】
第４実施形態では、第３実施形態の噴射補助具の本体が幅広の板状体であったのに対し、本体部を幅狭の棒体としたことを特徴としている。
第４実施形態に係る噴射補助具４は、装着部３１と棒状本体部（本体部）４５とに大別して構成される。
【００５５】
＜装着部＞
装着部３１は、トリガー式液体噴射器の噴射部に正面から着脱自在とされ、図１４および図１５（ａ）および（ｂ）に示したように、噴射部に装着する装着筒部３２と該装着筒部３２の前端に連設される鍔部３３とで構成されている。
なお、装着部３１は上記した第３実施形態と同じ構成とすることができる。
【００５６】
＜本体部＞
第４実施形態において、本体部は長尺の棒状体であり、鍔部３３の上端から噴射方向に沿って延出している。棒状本体部４５の後方は後端部に向かって徐々に幅広に形成されて高強度部をなし、棒状本体部４５の先端には幅広となった掻き落とし部４７が形成されている。掻き落とし部４７の先端には複数の爪部４７ａが幅方向に設けられ、葉の裏面に付着した害虫、病原菌、これらの死骸を容易に掻き落とすことができる。
【００５７】
＜取り付け状態の説明＞
第４実施形態の噴射補助具４をトリガー式液体噴射器の噴射部に取り付ける際には、第３実施形態と同様に、噴射補助具４の装着部３１を噴射部に前方方向から外嵌する。噴射部の凸部と装着部３１のＵ字状切欠部３２ａが互いに係合するので、装着部３１は噴射部７１にしっかりと嵌り装着部３１が噴射部から脱落することはない。装着部３１が噴射部に嵌ると、棒状本体部４５が噴射領域の噴射中心軸を含む水平面よりも上方であって且つ噴射方向に沿って延出する。
【００５８】
＜使用状態の説明＞
したがって、薬液の噴射時、噴射補助具４の先端部を葉の裏側に挿入し、手首を支点として先端部を上方へ移動させると、葉をめくることができ、噴射領域の正面に葉裏を位置させることができる。この状態で操作レバーが操作され、噴射口から薬液が噴射されると、葉裏に的確に薬剤を噴射、拡散することができる。また、噴射口は少なくとも棒状本体部４５の長さ分だけ葉裏から離間しているので、噴射した薬液が十分に広がり、葉裏の広範囲に薬液を効率良く噴射できる。
【００５９】
第４実施形態の噴射補助具４によれば、本体部を細径に形成できるので、噴射領域形成の障害となりにくい。また、細径なので、葉８１の裏面８３の視認性が低下しない。更に、軽量安価な本体部の製造が可能となる。
【００６０】
（第４実施形態の第１変形例：図１６）
次に、図１６を参照して第４実施形態に係る噴射補助具の第１変形例について説明する。図１６は第４実施形態の第１変形例の側面図である。
【００６１】
本変形例では、第４実施形態の噴射補助具の鍔部に延出部を設けたことを特徴としている。
本変形例の噴射補助具４Ａは、図１６に示したように、噴射部の下方噴射方向に向かって延出する延出部３８が装着部３１の鍔部３３の下部に設けられている。
【００６２】
＜使用状態の説明＞
したがって、薬剤の噴射時、噴射パターンの中でも噴射中心軸を含む水平面よりも下方に向かって噴射された薬液の飛沫分を延出部３８で受け止めて、その先端から落下させることができるので、操作レバーを操作する手指に薬液が垂れるのをより確実に防ぐことができる。
また、棒状本体部の先端部が水平面よりも上向きとなるようにトリガー式液体噴射器を上方に傾倒させて使用した場合であっても、葉からの薬液の垂れ、棒状本体部４５からの薬液の垂れ、などを受け止めることができるので、操作レバーを操作する手指に薬液が垂れるのを防ぐことができる。
【００６３】
（第４実施形態の第２変形例：図１７）
次に、図１７を参照して第４実施形態に係る噴射補助具の第２変形例について説明する。図１７は第４実施形態の第２変形例の側面図である。
【００６４】
本変形例では、第４実施形態の噴射補助具の本体部に凸部を設けたことを特徴としている。
本変形例の噴射補助具４Ｂは、図１７に示したように、棒状本体部４５の下面に凸部４９が設けられている。凸部４９は、棒状本体部４５の下面に複数個を点在させて設けてもよい。また、その断面形状も特に限定されず、略三角形状、略半円状等の任意の形状とすることができる。
【００６５】
＜使用状態の説明＞
したがって、薬剤の噴射時に、棒状本体部４５の先端部が水平面よりも上向きとなるようにトリガー式液体噴射器を上方に傾倒させて使用した際、噴射された薬液や葉から滴下した薬液が棒状本体部４５を伝って噴射部側に向かって流動しても、凸部４９に薬液が留まり、その先端から落下するので、操作レバーを操作する手指に薬液が垂れることがない。
【００６６】
本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６７】
以上のように、本発明の噴射補助具をトリガー式液体噴射器に取り付けて、この噴射補助具により葉をめくったり、茂みをかき分けることができるので、作業者が手指で葉をめくったりする必要がなく、所期の部位に薬液を容易に、効率よく噴射することができる。そのため、手指に薬液が付着したり、害虫、病原菌等が付いたりすることがない。
【符号の説明】
【００６８】
１，１Ａ，２，３，３Ａ，３Ｂ，４，４Ａ，４Ｂ  噴射補助具
７                トリガー式液体噴射器
１１，１１Ａ，２１  装着部
１７，２７        本体部
１９，２９        連結部
３１              装着部
３２              装着筒部
３３              鍔部
３４              貫通開口部
３５              板状本体部（本体部）
３７              開口部
３８              延出部
３９，４９        凸部
４５              棒状本体部（本体部）
４７              掻き落とし部
７１              噴射部
７３              カバー部
７５              操作レバー
７６              係止部
７９              装着受部
８１              葉
８３              裏面（葉裏）
【図１】
0005856466.tif 000002
【図２】
0005856466.tif 000003
【図３】
0005856466.tif 000004
【図４】
0005856466.tif 000005
【図５】
0005856466.tif 000006
【図６】
0005856466.tif 000007
【図７】
0005856466.tif 000008
【図８】
0005856466.tif 000009
【図９】
0005856466.tif 000010
【図１０】
0005856466.tif 000011
【図１１】
0005856466.tif 000012
【図１２】
0005856466.tif 000013
【図１３】
0005856466.tif 000014
【図１４】
0005856466.tif 000015
【図１５】
0005856466.tif 000016
【図１６】
0005856466.tif 000017
【図１７】
0005856466.tif 000018